(57)【要約】      （修正有）【課題】夏場に室内が上昇した際に、室内飼育するペットの健康維持に役立つ、ペット用に特化した扇風機を提供する。【解決手段】本体１は送風口２が設けられ、モータに取り付けられた羽根で風を吹き出す。本体下部４は下向きに凸の球面形状をしており揺動が可能で、本体下部４の底面中央にはスイッチ５が設けられている。本体側面に設けられたメインスイッチ３とスイッチ５は直列に接続されており、ペットが本体１に触れて傾斜させるとスイッチ５がＯＦＦとなり送風が停止する。また、送風口２の部分には開口部７を備えたゴム製のカバー６で覆われて、メインスイッチ３はカバー６の内側に装置されているためペットが操作できないため構造となっており、安全に配慮したペット用の扇風機である。【選択図】図１
2017108729.tif 000002
【特許請求の範囲】
【請求項１】
乾電池と、スイッチと、モーターと、モーターの回転軸に取り付けた羽根を、扇風機の本体となる容器内に装置し、羽根の前後方向近傍又は上部に、通風口を備えた扇風機において、以下のいずれか、又は以下のいずれか複数の特徴を有する、ペット用扇風機。
１、容器の底面は、下向き凸の略球面とし、扇風機本体を揺動可能に構成した。
２、容器の底面は、下向き凸の略円筒面とし、扇風機本体を揺動可能に構成した。
３、上記１の構成において、乾電池は、略球面の中心点よりも下の位置に装置した。
４、上記２の構成において、乾電池は、略円筒面の中心線よりも下の位置に装置した。
５、スイッチを本体の最下部に装置し、本体が直立状態の時にモーターに電力を通電し、揺動によって傾いた場合は、通電が切れる様に構成した。
６、最下部のスイッチとは別に、メインスイッチを本体に設け、直列に接続した。即ち、メインスイッチを切った状態では、本体が直立状態でもモーターが作動しない様に装置した。
７、本体の表面積の３０％以上を覆う、ゴム又は軟質樹脂製又は布製のカバーを設け、メインスイッチは、このカバーの内側に装置した。即ち、カバーを取り外さなければ、メインスイッチが操作ができない様に装置した。
８、本体の表面積の３０％以上を覆う、ゴム又は軟質樹脂製又は布製のカバーを設け、乾電池搭載部又は乾電池挿入部をこのカバーで覆った。即ち、カバーを取り外さなければ、乾電池を交換できない様に装置した。
９、本体の表面積の３０％以上を覆う、ゴム又は軟質樹脂製又は布製のカバーを設け、そのカバーが送風口及空気取り入れ口を覆う場合は、その部分に、開口部、又はスリット、又は複数の貫通孔を設けた。
１０、上記のカバーを、意匠面とした。
１１、本体の前面、即ち送風方向の表面に、ペットフードを収納可能な容器を備え、その容器に、粒状のペットフードを１粒づつ取り出すことが可能な小孔を設けた。
１２、本体背面又は上部に、送風用空気取り入れ口を設け、その空気通路上に、着脱式、又は使い捨てのフィルターを設けた。
【請求項２】
以下のいずれか、又はいずれか複数の特徴を有する、請求項１に記載のペット用扇風機。
１、メインスイッチに電気式のタイマーを装置し、スイッチの接続状態から所定の時間が経過すると、自動的にモーターへの電源供給が切断される様に装置した。
２、メインスイッチに電気式のタイマーを装置し、タイマー作動開始から所定の時間が経過すると、モーターへの電源供給回路が接続状態になる様に装置した。
３、メインスイッチに電気式のタイマーを装置し、設定した時刻に自動的にモーターの電源をＯＮ−ＯＦＦ可能に装置した。
４、メインスイッチに渦巻きばね、即ちゼンマイを利用した機械式のタイマーを装置し、スイッチの接続状態から所定の時間が経過すると、巻かれたゼンマイが元の形状に戻り、自動的にモーターへの電力供給が切断される様に装置した。
５、上記機械式タイマーの、巻かれたゼンマイの付勢力により、本体内部に装置した重りを揺動させ、タイマー作動中は、本体が重りの動きによる反作用で揺動する様に装置した。尚、重りを断続的、又は不規則的に揺動させる構成も含む。
６、上記機械式タイマーの、巻かれたゼンマイの付勢力により、本体内部に装置した重りを略水平方向に回転させ、タイマー作動中は、本体が重りの動きによる反作用で、略垂直軸を中心に回転する様に装置した。即ち、タイマー作動中は扇風機の送風方向が変化する構成とし、重りを断続的又は不規則的に、回転又は反転させる構成も含む。
７、本体内部にスピーカー又は音発生装置を設け、電気式タイマーの作動中は、連続又は断続的に所定の音を発生させる様に装置した。
８、ゼンマイを利用した機械式タイマーの作動中は、機械的に音を発生させる様に装置した。尚、機械的な音とは、ゼンマイの付勢力による軸や歯車の回転を動力に使用し、物で物を叩く、又は物と物をこすり合わせる事で発生する音を指す。
【請求項３】
以下のいずれか、又はいずれか複数の特徴を有する、請求項１又は請求項２に記載のペット用扇風機。
１、送風用の羽根、及び空気取り入れ口のフィルターは、本体の表面から５ｍｍ以上内側に装置し、犬や猫が本体を噛んだ場合でも、歯が接触しない様に装置した。尚、本体表面に網状又はスリット状のガード部材を取り付け、同様の機能とした構成も含む。
２、ペットフードを取り出す小孔の位置を本体の遥動方向に合わせ、本体が遥動した際、ペットフードが自動的に飛び出す様に装置した。尚、容器を本体内部に吊り下げ、又はピン結合、又はやじろべえ状に支点支持し、共振によって容器の揺れが増幅する様に装置した構成も含む。
３、本体内部に液体噴射装置を設け、タイマーにより、所定の時間毎に本体の前面から餌の匂いがする液体を噴射する様に装置した。尚、機械式タイマーにおいては、ゼンマイの付勢力でスポイト状の容器を押し、液体を噴射させる構成とする。
４、本体は上下２分割とし、分割部はインロー形状による嵌合とした。尚、嵌合部にネジを設けた構成も含む。
５、カバーは、少なくとも上記の分割部を覆う形状とした。
６、カバーは伸縮可能で弾力性のある材料とし、装着時はカバーを伸ばしながら本体に被せ、カバーの緊迫力と摩擦力によって、本体と一体化させる構成とした。
７、送風口又は空気取り入れ口の、両方又は一方の内面下部に、ペットの涎を受け止める為の、樋又はリブ形状を設けた。尚、樋又はリブを着脱可能にした構成も含む。
８、上記の樋又はリブに、取り外して洗浄可能なスポンジを取り付けた、又は使い捨てのフィルターを取り付けた、又はティッシュペーパーを保持又は挟持可能に装置した。
９、本体の送風口を前面とした時に、前面、又は側面、又は背面のいずれか、又はいずれか複数個所に、本体を吊り下げる為の、フック又は貫通孔又は凹部又は凸部を設けた。
１０、本体の上部に、吊り下げ用のフックを設けた。尚、本体上部に吊り下げ用の紐状部材を取り付け、その先端にフック形状を装置した構成も含む。
１１、本体上部近傍の内部に、吊り下げ用の紐状部材を格納し、吊り下げる時は先端に取り付けたフックを持って引き出せる様に構成した。
１２、上記の紐状部材を、ゴム紐又はスプリングの、弾性部材とした。
１３、本体の側面で、カバーの内側となる面に、電池を充電する為のコネクターを設けた。尚、この場合、充電式電池を直接回路に接続し、電池ボックスを廃止した構成も含む。
１４、送風口に、風の方向を可変可能なルーバーを設けた。
１５、本体を床面上に置いた際、送風口中心部の高さは、床面から５ｃｍ〜３０ｃｍとした。
１６、本体容器は、樹脂製、又は軽合金製、又は金属製、又は木製とした。
１７、カバーの材料に、香料を練りこんだ、又は製造段階で香料を添加した。
１８、カバーの内側に、香料又は香料を含浸させた物体を保持可能なポケットを装置した。
【発明の詳細な説明】
【技術分野】
【０００１】本発明は、主として室内で飼育するペット用の扇風機に関する。
【背景技術】
【０００２】室内で犬や猫などのペットを飼育し、夏場に留守番をさせる場合、室温が上昇してしまうのでペットが体調を崩す恐れがある。しかし、留守中にエアコンや扇風機を継続して使用するのは電気代が嵩み、現実的ではない。そこで、ペット用に特化した、小型の扇風機が求められている。
【先行技術文献】
【特許文献】
【０００３】なし。
【発明の概要】
【発明が解決しようとする課題】
【０００４】ペット用に特化した扇風機としては、以下の全ての課題を解決しなければならない。
１、床に寝ているペットに風を当てること。
２、ペットが扇風機に興味を持つこと。
３、ペットが爪でひっかいたり噛んだりしても壊れず、また、安全なこと。
４、ペットの毛が絡まないこと。
５、ペットの涎に対応すること。
６、ペットがスイッチのＯＮ−ＯＦＦをできないこと。
７、ペットが蓋を開けたり、分解ができないこと。
８、タイマー機能を備えること。
上記の課題を１つでも満足できない場合は、ペット用の扇風機として成立しない。
【課題を解決するための手段】
【０００５】課題を解決する為には、本発明の請求項１から請求項３のいずれかに記載された構成を１つ、又は複数選択して採用する。その内容は、概略、以下の構成を指す。
１、ペットが床に寝ている場合を想定し、床面に近い高さから送風する。
２、ペットが興味を持つ様な動きをする事。
３、ペットが興味を持つ様な、臭いや音を発生する。
４、ゴム製のカバーにより、ペットが引っかいたり噛んだ場合にも対応する。
５、ゴム製カバーにより、ペットがスイッチの操作をできない様にする。
６、タイマーで自動的にスイッチのＯＮ−ＯＦＦを行う。
【発明の効果】
【０００６】本発明によれば、前述の課題を全て解決する事が可能で、室内で飼育するペット用に特化した扇風機を市場に導入可能となり、大事なペットの健康維持に役立つ。
【図面の簡単な説明】
【０００７】
【図１】  本発明の、正面図を表す。
【図２】  本発明の内部構造を表す。
【図３】  本発明の主要機能部品を電線で接続した状態の模式図を表す。
【発明を実施するための形態】
【０００８】本発明を実施し、全ての課題を解決する為の形態や構成は、請求項１から請求項３に詳述された通りであり、そのいずれか、又はいずれか複数の構成を選択すれば良い。その構成の一例を、図を使って説明する。
【実施例】
【０００９】図１は、本発明であるペット用扇風機の正面から見た形状を表す。その内部には、図２に示す機能部品が内蔵されている。
本体１には送風口２が設けられ、モーター８に取り付けられた羽根９で作られた風が吹き出す。
本体下部４は下向き凸の球面形状の為、本体を平面上に置くと、揺動が可能である。【００１０】本体側面に設けられたメインスイッチ３をＯＮにしても、底部に設けられたスイッチ５が直列に接続されており、スイッチ５がＯＦＦなのでモーターは回転しない。この状態で本体を床面などに置くと、本体の自重によってスイッチ５もＯＮになるのでモーターが回転し、送風が開始される。
また、スイッチ５が底面の中央部に設けられている為、ペットなどが触れて本体が傾斜すると電力の供給がＯＦＦとなり、送風が停止する。【００１１】乾電池１１を内臓した電池ボックス１０は、本体底部に装置されており、４の球面の中心点よりも重心位置が下になるので、本体を傾斜させても必ず直立状態に復元する。【００１２】本体の上部は、送風口部分に開口部７を備えた、ゴム製のカバー６で覆っており、メインスイッチ３は、このカバーの内側に装置されており、カバー６は、ゴムの弾性による緊迫力で本体に密着している為、ペットが爪や歯で本体に触れても、メインスイッチ３を操作することができず、安全である。【００１３】図３は、電池・底部のスイッチ・タイマー付きのメインスイッチ・モーターの主要機能部品を、電線で直列に接続した本発明の模式図を表している。タイマーは、ゼンマイを使用した機械式である。ゼンマイを巻く為の回転軸に、偏芯して重りを取り付ける事により、ゼンマイが巻き戻される時に重心位置が移動し、この結果、タイマー作動中は本体が揺動する。【００１４】以上の通り、請求項１から３に記載された構成を複数選択して採用すれば、ペットが興味を持って近寄り、また、安全に配慮されたペット用扇風機を得る事ができる。
【産業上の利用可能性】
【００１５】本発明の、請求項１から請求項３の、いずれかに記載された構成を、１つ又は複数選択して採用すれば、前述の課題を全て解決する事が可能で、極めて高機能で利便性の高い商品を市販する事が可能となり、産業の発展に寄与できる。
【符号の説明】
【００１６】  １、樹脂製の本体
２、送風口
３、メインスイッチ
４、球面の本体下部で、内部に電池ボックスを備える
５、底部のスイッチ
６、本体上部を覆うゴム製カーであり、本体を透視する為、破線で表している。
７、ゴム製カバーに設けられた、送風口部分の開口部
８、モーター
９、プロペラ
１０、電池ボックス
１１、乾電池（充電可能な電池）
１２、電池ボックスとメインスイッチを接続する電線
１３、メインスイッチとモーターを接続する電線
【図１】
2017108729.tif 000003
【図２】
2017108729.tif 000004
【図３】
2017108729.tif 000005